【手続補正書】
【提出日】平成29年8月8日(2017.8.8)
【手続補正１】
【補正対象書類名】明細書
【補正対象項目名】００１５
【補正方法】変更
【補正の内容】
【００１５】
配送業者は単一でも複数であってもよく、また、問屋１０４、小売店１０５が介在しない場合には、配送業者１０２もしくは１０３から直接小売店１０５に、もしくは直接顧客１０６に、製品が配送される場合もある。点線矢印は製品の流れ１０７を示している。また、実線矢印は、情報コードの流れ１１０を示している。
【手続補正２】
【補正対象書類名】明細書
【補正対象項目名】００４１
【補正方法】変更
【補正の内容】
【００４１】
ここで、問屋３０３が配送業者３０２から製品受け取り後、小売店３０４に製品を引き渡すまでの間に、製品を管理温度範囲外で管理した場合、情報コード３１１はそのパターンを変える。本実施例では情報コード３１１が情報読取発信装置によって読取可能なパターンの情報コード３１２となっている。問屋３０３は小売店３０４に製品を受け渡す際に、情報コード３１１と３１２を情報読取発信装置によって読み取り、ネットワーク回線３０８を介してサーバ３０９に発信する。以降、同様に、小売店３０４は、問屋３０３からの製品受け取り時及び顧客３０５への製品受け渡し時に、情報コード３１１と３１２を読み取りサーバ３０９に発信する。同様に、顧客３０５は、小売店３０４から製品受け取り時に、情報コード３１１と３１２を読み取りサーバ３０９に発信する。
【手続補正３】
【補正対象書類名】明細書
【補正対象項目名】００４６
【補正方法】変更
【補正の内容】
【００４６】
また、情報コード３１０、３１１、３１２をいずれも商品コードとすることで、同種のコードリーダにより読み取ることが可能となる。この場合、情報コード３１０、３１１、３１２は、同種の情報読取発信装置で読み取れればよく、必ずしも同種の商品コードでなくてもよい、例えば、一方がＪＡＮコードで、他方が２次元コード、ＱＲコード（登録商標）でも良い。さらに小売店３０４、顧客３０５は、情報コード読み取り時に、情報コードが読み取りによって温度逸脱を検知した場合には、製品の受け取りを拒否し、再送を依頼することも可能である。また、情報コードそのものが変化することで、耐偽造性が高い。なお、以上の説明では情報コードは２つとしたが、複数でも良い。
【手続補正４】
【補正対象書類名】明細書
【補正対象項目名】００５３
【補正方法】変更
【補正の内容】
【００５３】
ここで、問屋４０３が配送業者４０２から製品受け取り後、小売店４０４に製品を引き渡すまでの間に、製品を管理温度範囲外で管理した場合、情報コード４１１は不可読なパターンの情報コード４１２に変化する。問屋４０３は小売店４０４に製品を受け渡す際に、情報コード４１１がバーコートリーダによって不可読なため、情報コード４１０のみを情報読取発信装置によって読み取り、ネットワーク回線４０８を介してサーバ４０９に発信する。同様に、小売店４０４は、問屋４０３からの製品受け取り時及び顧客４０５への製品受け渡し時に、情報コード４１０のみを読み取りサーバ４０９に発信する。同様に、顧客４０５は、小売店４０４から製品受け取り時に、情報コード４１０のみを読み取りサーバ４０９に発信する。
【手続補正５】
【補正対象書類名】明細書
【補正対象項目名】００５７
【補正方法】変更
【補正の内容】
【００５７】
また、情報コード４１０、４１１をいずれも商品コードとすることで、同種のコードリーダにより読み取ることが可能となる。この場合、情報コード４１０、４１１は、同種の情報読取発信装置で読み取れればよく、必ずしも同種の商品コードでなくてもよい、例えば、一方がＪＡＮコードで、他方が２次元コード、ＱＲコードでも良い。さらに小売店４０４、顧客４０５は、情報コード読み取り時に、情報コードが読み取れないことで温度逸脱を検知した場合には、製品の受け取りを拒否し、再送を依頼することも可能である。また、情報コードそのものが変化することで、耐偽造性が高い。
【手続補正６】
【補正対象書類名】明細書
【補正対象項目名】００６２
【補正方法】変更
【補正の内容】
【００６２】
１…基材、２…顕色剤層、３…バリア層、４…発色剤層、１０１、２０１、３０１、４０１…製造業者、１０２、１０３、２０２、２０３、３０２、４０２…配送業者、１０４、２０４、３０３、４０３…問屋、１０５、２０５、３０４、４０４…小売店、１０６、２０６、３０５、４０５…顧客、１０７…製品の流れ、１１０…情報コードの流れ、１０８、２０８、３０８、４０８…ネットワーク回線、１０９、２０９、３０９、４０９…サーバ、２１０、２１１、３１０、３１１、３１２、４１０、４１１、４１２…情報コード、５００…情報読取発信装置、５０１…画像処理部、５０２…データ解析部、５０３…制御部、５０４…通信処理部、５０５…基地局、５０８…コンピュータ
【手続補正７】
【補正対象書類名】特許請求の範囲
【補正対象項目名】全文
【補正方法】変更
【補正の内容】
【特許請求の範囲】
【請求項１】
製品に具備された情報コードを読み取り、該情報コードに含まれるデータを発信する情報読取発信装置と、
前記情報読取発信装置から発信されたデータを通信ネットワークを介して蓄積するサーバと、
前記サーバから通信ネットワークを介して前記蓄積されたデータを参照する端末機器とを有し、
前記情報コードは特定の温度を逸脱した際に変化するパターンからなり、該特定の温度を逸脱した際の情報コードの変化は温度に対して不可逆であり、
該情報コードを用いることを特徴とする物流管理システム。
【請求項２】
請求項１に記載の物流管理システムであって、
前記情報コードの特定の温度を逸脱した際に変化するパターンは前記情報読取発信装置で読み取り可能なパターンであり、該情報コードを用いることを特徴とする物流管理システム。
【請求項３】
請求項１に記載の物流管理システムであって、
前記製品は前記情報コードを複数備え、該情報コードの少なくとも一つが、特定の温度範囲を逸脱してもパターンを変化させず、かつ他の少なくとも一つの情報コードが、特定の温度範囲を逸脱した際にパターンを変化させる、複数の情報コードを用いることを特徴とする物流管理システム。
【請求項４】
請求項３に記載の物流管理システムであって、
前記情報コードの特定の温度範囲を逸脱した際に変化するパターンは前記情報読取発信装置で読み取り可能なパターンであり、該情報コードを用いることを特徴とする物流管理システム。
【請求項５】
請求項３に記載の物流管理システムであって、
前記情報コードの特定の温度範囲を逸脱した際に変化するパターンは前記情報読取発信装置で読み取り不可能なパターンであり、該情報コードを用いることを特徴とする物流管理システム。
【請求項６】
請求項１に記載の物流管理システムであって、
前記情報読取発信装置から発信されたデータによって、前記製品の温度逸脱を判定することを特徴とする物流管理システム。
【請求項７】
請求項５に記載の物流管理システムであって、
前記情報読取発信装置が前記複数の情報コードから読み取ったデータの数で、前記製品の温度逸脱を判定することを特徴とする物流管理システム。
【請求項８】
請求項１に記載の物流管理システムであって、
前記情報コードが、文字、数字、図、バーコード、２次元コード、の少なくとも一つであることを特徴とする物流管理システム。
【請求項９】
請求項３に記載の物流管理システムであって、
前記複数の情報コードが、文字、数字、図、バーコード、２次元コード、の少なくとも一つであり、かつ同種であることを特徴とする物流管理システム。
【請求項１０】
請求項３に記載の物流管理システムであって、
前記情報読取発信装置は１種類であり、前記複数の情報コードを読み取り、発信することを特徴とする物流管理システム。
【請求項１１】
請求項１に記載の物流管理システムであって、
前記製品の配送前及び配送後に、前記情報読取発信装置で前記情報コードを読み取り、該情報コードに含まれるデータを発信することを特徴とする物流管理システム。
【請求項１２】
製品に具備された情報コードを読み取り、該情報コードに含まれるデータを発信する第１の情報読取発信装置と、
製造業者から前記製品を受領する配送業者が、受領後、配送前及び配送後の前記製品に付与された情報コードを読み取り、該情報コードに含まれるデータを発信する第２の情報読取発信装置と、
前記配送業者から前記製品を受領する顧客が、受領後の前記製品に付与された情報コードを読み取り、該情報コードに含まれるデータを発信する第３の情報読取発信装置と、
前記第１、第２、第３の情報読取発信装置から発信されたデータを通信ネットワークを介して蓄積するサーバと、
前記サーバから通信ネットワークを介して前記蓄積されたデータを参照する端末機器とを有し、
前記情報コードは特定の温度を逸脱した際に変化するパターンからなり、該特定の温度を逸脱した際の情報コードの変化は温度に対して不可逆であり、
該情報コードを用いることを特徴とする物流管理システム。
【請求項１３】
請求項１２に記載の物流管理システムであって、
前記第１、第２、第３の情報読取発信装置から発信されたデータによって、前記製品の温度逸脱を判定することを特徴とする物流管理システム。
【請求項１４】
請求項１２に記載の物流管理システムであって、
前記製品は前記情報コードを複数備え、該情報コードの少なくとも一つが、特定の温度範囲を逸脱してもパターンを変化させず、かつ他の少なくとも一つの情報コードが、特定の温度範囲を逸脱した際に前記情報読取発信装置で読み取り不可能なパターンに変化し、
前記第１、第２、第３の情報読取発信装置が前記複数の情報コードから読み取ったデータの数で、前記製品の温度逸脱を判定することを特徴とする物流管理システム。